(57)【要約】【課題】印刷作業を収集するにあたって、印刷作業を収集するにあたって作業者の負担を低減すること。【解決手段】印刷機制御装置１０は、信号取得部１２ａと、制御条件判定部１２ｂと、状態特定部１２ｃと、情報表示部１２ｄとを備える。信号取得部１２ａは、印刷機１の状態に関する電気信号を取得する。制御条件判定部１２ｂは、信号取得部１２ａが取得した電気信号に対応する印刷機１の状態が一意に決定されるか否かを判定する。状態特定部１２ｃは、印刷機１の状態に関する電気信号に対応する印刷機１の状態が一意に決定されない場合、複数の電気信号の組み合わせに基づいて推定した印刷機１の状態を印刷作業として特定する。情報表示部１２ｄは、不明な印刷作業が存在する場合、特定された印刷作業の情報とともに、不明な印刷作業の情報をディスプレイ１４Ｄに表示させる。【選択図】図１
2010173249.tif 000002
【特許請求の範囲】
【請求項１】
印刷作業を特定するものであり、
印刷機の状態に関する電気信号を取得する信号取得部と、
前記信号取得部が取得した前記電気信号に対応する前記印刷機の状態が一意に決定されるか否かを判定する制御条件判定部と、
前記印刷機の状態に関する電気信号に対応する前記印刷機の状態が一意に決定される場合には、一意に決定された状態を前記印刷作業として特定し、前記電気信号に対応する前記印刷機の状態が一意に決定されない場合、複数の前記電気信号の組み合わせに基づいて推定した前記印刷機の状態を前記印刷作業として特定する状態特定部と、
不明な印刷作業が存在する場合、特定された前記印刷作業の情報とともに、前記不明な印刷作業の情報を表示手段に表示させる情報表示部と、
を備えることを特徴とする印刷作業の特定装置。
【請求項２】
前記情報表示部は、
特定された前記印刷機の状態に関する情報と、前記不明な印刷作業の情報とを、時間の経過順に前記表示手段へ表示させる請求項１に記載の印刷作業の特定装置。
【請求項３】
前記不明な印刷作業の候補を前記表示手段に表示させる印刷機作業候補表示部を備える請求項１又は２に記載の印刷作業の特定装置。
【請求項４】
前記情報表示部は、
前記候補が入力されない場合、入力を促すメッセージを前記表示手段に表示させる請求項３に記載の印刷作業の特定装置。
【請求項５】
前記候補が入力されない場合、次のジョブの実行を禁止する印刷機動作制御部を備える請求項３に記載の印刷作業の特定装置。
【請求項６】
印刷作業を特定するにあたり、
印刷機の状態に関する電気信号に対応する印刷機の状態が一意に決定されるか否かを判定する手順と、
前記印刷機の状態に関する電気信号に対応する前記印刷機の状態が一意に決定される場合には、一意に決定された状態を前記印刷作業として特定し、前記電気信号に対応する前記印刷機の状態が一意に決定されない場合、複数の前記電気信号の組み合わせに基づいて推定した前記印刷機の状態を前記印刷作業として特定する手順と、
前記印刷機の不明な印刷作業が存在する場合、特定された前記印刷作業の情報とともに、前記不明な印刷作業の情報を表示手段に表示させる手順と、
を備えることを特徴とする印刷作業の特定方法。
【請求項７】
前記不明な印刷作業の情報を表示手段に表示させる手順においては、
特定された前記印刷機の状態に関する情報と、前記不明な印刷作業の情報とを、時間の経過順に前記表示手段へ表示させる請求項６に記載の印刷作業の特定方法。
【請求項８】
前記不明な印刷作業の情報を表示手段に表示させる手順においては、
前記不明な印刷作業の候補を前記表示手段に表示させる請求項６又は７に記載の印刷作業の特定方法。
【請求項９】
前記不明な印刷作業の情報を表示手段に表示させた後に前記候補が入力されない場合、入力を促すメッセージを前記表示手段に表示させる請求項８に記載の印刷作業の特定方法。
【請求項１０】
前記不明な印刷作業の情報を表示手段に表示させた後に前記候補が入力されない場合、次のジョブの実行を禁止する請求項８に記載の印刷作業の特定方法。
【請求項１１】
請求項６〜１０のいずれか１項に記載の印刷作業の特定方法をコンピュータに実行させることを特徴とする印刷作業の特定用コンピュータプログラム。
【発明の詳細な説明】
【技術分野】
【０００１】
本発明は、印刷機が実行した作業の種類や印刷機が稼働しているか否かといった印刷機の状態を特定する印刷作業の特定装置及び印刷作業の特定方法、並びに印刷作業の特定用コンピュータプログラムに関する。
【背景技術】
【０００２】
印刷機の生産管理のためには、印刷機の稼働状況を把握する必要がある。例えば、特許文献１には、印刷機毎に、積算電力計、ガス流量計、水道流量計及び各種のインキ吐出弁を設け、それぞれに単位使用量当りのパルス信号発生機構を付設し、さらに各印刷機に回転数検出機構を設け、これらの各回転数検出機構に連動させて各パルス信号を取り込むとともにデータ収集装置を介してパルス信号回数を総使用量に変換して積算、集計するコンピュータを備える印刷機械のユーティリティ管理装置が開示されている。
【先行技術文献】
【特許文献】
【０００３】
【特許文献１】特開平６−４７９０４号公報（０００６、０００７）
【発明の概要】
【発明が解決しようとする課題】
【０００４】
ところで、印刷作業の改善や効率化を図るため、印刷機の実行した作業の種類や時間を集計し、印刷機の稼働率や作業毎の稼働時間等を求めることがある。しかし、従来は、作業者自身の記録や作業者によるマニュアル入力で印刷作業を把握していたので、収集された印刷作業には不明な場合が多く、改善が望まれていた。本発明は、上記に鑑みてなされたものであって、印刷作業を収集するにあたって、不明な印刷作業を低減すること、印刷作業を収集するにあたって作業者の負担を低減することのうち少なくとも一つを達成することを目的とする。
【課題を解決するための手段】
【０００５】
上述した課題を解決し、目的を達成するために、本発明に係る印刷作業の特定装置は、印刷作業を特定するものであり、印刷機の状態に関する電気信号を取得する信号取得部と、前記信号取得部が取得した前記電気信号に対応する前記印刷機の状態が一意に決定されるか否かを判定する制御条件判定部と、前記印刷機の状態に関する電気信号に対応する前記印刷機の状態が一意に決定される場合には、一意に決定された状態を前記印刷作業として特定し、前記電気信号に対応する前記印刷機の状態が一意に決定されない場合、複数の前記電気信号の組み合わせに基づいて推定した前記印刷機の状態を前記印刷作業として特定する状態特定部と、不明な印刷作業が存在する場合、特定された前記印刷作業の情報とともに、前記不明な印刷作業の情報を表示手段に表示させる情報表示部と、を備えることを特徴とする。
【０００６】
上述した課題を解決し、目的を達成するために、本発明に係る印刷作業の特定方法は、印刷作業を特定するにあたり、印刷機の状態に関する電気信号に対応する印刷機の状態が一意に決定されるか否かを判定する手順と、前記印刷機の状態に関する電気信号に対応する前記印刷機の状態が一意に決定される場合には、一意に決定された状態を前記印刷作業として特定し、前記電気信号に対応する前記印刷機の状態が一意に決定されない場合、複数の前記電気信号の組み合わせに基づいて推定した前記印刷機の状態を前記印刷作業として特定する手順と、前記印刷機の不明な印刷作業が存在する場合、特定された前記印刷作業の情報とともに、前記不明な印刷作業の情報を表示手段に表示させる手順と、を備えることを特徴とする。
【０００７】
本発明では、複数の電気信号に基づいて、印刷機のある状態を示す電気信号を取得したときにおける印刷機の状態を特定する。これによって、作業者自身の記録や作業者による入力がない場合であっても印刷機の状態を特定できる。その結果、印刷機の状態を収集し、印刷作業を特定するにあたって、不明な印刷作業を低減できる。また、不明な印刷作業を低減できるので、作業者が不明な印刷状態を入力する作業を低減できる。さらに、作業者の操作によって不明な印刷作業の内容を入力させる場合には、特定された印刷機の状態の情報とともに、不明な印刷作業の情報が表示手段に表示される。これによって、作業者は、明らかになっている印刷作業や印刷機の状態との関係から、不明な印刷作業を特定することが容易になるので、不明な印刷作業は、より確実に、かつ正しい内容で入力される。そして、印刷作業を収集するにあたって作業者の負担が低減される。
【０００８】
本発明の望ましい態様としては、前記印刷作業の特定装置において、前記情報表示部は、特定された前記印刷機の状態に関する情報と、前記不明な印刷作業の情報とを、時間の経過順に前記表示手段へ表示させることが好ましい。
【０００９】
本発明の望ましい態様としては、前記印刷作業の特定方法において、前記不明な印刷作業の情報を表示手段に表示させる手順においては、特定された前記印刷機の状態に関する情報と、前記不明な印刷作業の情報とを、時間の経過順に前記表示手段へ表示させることが好ましい。
【００１０】
これによって、作業者は、不明な印刷作業の前後における印刷機の状態や印刷作業を知ることができるので、不明な印刷作業がどのような作業であったか特定することが容易になる。その結果、不明な印刷作業は、より確実に、かつ正しい内容で入力されるとともに、作業者の負担をより低減できる。
【００１１】
本発明の望ましい態様としては、前記印刷作業の特定装置において、前記不明な印刷作業の候補を前記表示手段に表示させる印刷機作業候補表示部を備えることが好ましい。
【００１２】
本発明の望ましい態様としては、前記印刷作業の特定方法において、前記不明な印刷作業の情報を表示手段に表示させる手順においては、前記不明な印刷作業の候補を前記表示手段に表示させることが好ましい。
【００１３】
これによって、作業者は、不明な印刷作業の入力が容易になるので、印刷作業を収集するにあたって作業者の負担をより低減できる。
【００１４】
本発明の望ましい態様としては、前記印刷作業の特定装置において、前記情報表示部は、前記候補が入力されない場合、入力を促すメッセージを前記表示手段に表示させることが好ましい。
【００１５】
本発明の望ましい態様としては、前記印刷作業の特定方法において、前記不明な印刷作業の情報を表示手段に表示させた後に前記候補が入力されない場合、入力を促すメッセージを前記表示手段に表示させることが好ましい。
【００１６】
これによって、作業者の入力を促進できるので、入力漏れが抑制される。
【００１７】
本発明の望ましい態様としては、前記印刷作業の特定装置において、前記候補が入力されない場合、次のジョブの実行を禁止することが好ましい。
【００１８】
本発明の望ましい態様としては、前記印刷作業の特定方法において、前記不明な印刷作業の情報を表示手段に表示させた後に前記候補が入力されない場合、次のジョブの実行を禁止することが好ましい。
【００１９】
これによって、作業者の入力を促進できるので、入力漏れが抑制される。
【００２０】
上述した課題を解決し、目的を達成するために、本発明に係る印刷作業の特定用コンピュータプログラムは、前記印刷作業の特定方法をコンピュータに実行させることを特徴とする。これによって、本発明に係る印刷作業の特定方法がコンピュータを用いて実現できる。
【発明の効果】
【００２１】
本発明は、印刷作業を収集するにあたって、不明な印刷作業を低減すること、印刷作業を収集するにあたって作業者の負担を低減することのうち少なくとも一つを達成できる。
【図面の簡単な説明】
【００２２】
【図１】図１は、本実施形態に係る印刷作業の特定装置を含む印刷システムを示す模式図である。
【図２】図２は、本実施形態の第１変形例に係る印刷作業特定装置を含む印刷システムを示す模式図である。
【図３】図３は、本実施形態の第２変形例に係る印刷作業特定装置を含む印刷システムを示す模式図である。
【図４】図４は、本実施形態に係る印刷作業特定方法の手順を示すフローチャートである。
【図５】図５は、本実施形態に係る印刷作業特定装置において、一意に決定できる印刷機の状態と一意に決定できない印刷機の状態とを示す図表である。
【図６】図６は、本実施形態に係る印刷作業特定装置の動作を示すタイミングチャートの一例を示す説明図である。
【図７】図７は、印刷作業とその印刷作業の開始時間及び終了時間とを対応付けたテーブルの一例を示す模式図である。
【図８】図８は、本実施形態において、不明な状態を示す画面の一例を示す模式図である。
【図９】図９は、不明な印刷作業を印刷機制御装置へ入力する際に表示される画面の一例を示す模式図である。
【図１０】図１０は、印刷機の状態と当該状態が継続した時間と関連付けて記述したデータマップを示す概念図である。
【図１１】図１１は、印刷機の作業分類と当該作業分類が継続した時間とを集計し、両者を関連付けて記述したデータマップを示す概念図である。
【発明を実施するための形態】
【００２３】
以下、この発明につき図面を参照しつつ詳細に説明する。なお、この発明を実施するための形態（以下、実施形態という）によりこの発明が限定されるものではない。また、下記実施形態における構成要素には、当業者が容易に想定できるもの、実質的に同一のものが含まれる。なお、本発明を適用できる印刷機の種類は問わない。
【００２４】
本実施形態は、印刷作業を特定するにあたり、印刷機の状態に関する電気信号に対応する印刷機の状態が一意に決定されるか否かを判定し、印刷機の状態に関する電気信号に対応する印刷機の状態が一意に決定される場合には、一意に決定された状態を印刷作業として特定し、電気信号に対応する印刷機の状態が一意に決定されない場合、複数の電気信号の組み合わせに基づいて推定した印刷機の状態を印刷作業として特定する。そして、不明な印刷作業が存在する場合、特定された印刷作業の情報とともに、不明な印刷作業の情報を表示手段に表示させる。印刷作業には、印刷に伴う作業者の作業及び印刷機の状態も含まれる。印刷に伴う作業者の作業は、紙の準備、印刷物の移動、清掃、メンテナンス、休憩等である。
【００２５】
図１は、本実施形態に係る印刷作業の特定装置を含む印刷システムを示す模式図である。印刷システム１００は、印刷機１と、印刷機１を制御する印刷機制御装置１０とで構成される。この印刷機１は、例えば、オフセット印刷機の枚葉印刷機であり、給紙部２と、印刷部３と、排紙部４とを有する。給紙部２は、セットされた紙（枚葉紙）を繰り出して複数の印刷ユニット３ａ、３ｂ、３ｃ、３ｄで構成される印刷部３に供給する。それぞれの印刷ユニット３ａ、３ｂ、３ｃ、３ｄは、版胴３２と、ブランケット胴３３と、圧胴３４とを有し、供給された紙にオフセット印刷する。
【００２６】
印刷部３は、例えばカラー印刷用の印刷機であればＫ、Ｃ、Ｍ、Ｙの各印刷色に対応した４つの印刷ユニット３ａ、３ｂ、３ｃ、３ｄが連結された構成となっており、紙は圧胴３４及び中間胴３０やチェーングリッパ等により給紙部２から印刷部３、排紙部４の順に搬送される。
【００２７】
版胴３２の外周部には刷版が装着されており、インキ供給部からインキが供給される。前記刷版には、インキによる印刷画像が形成される。前記印刷画像は、ブランケット胴３３に転写された後、紙に転写される。圧胴３４は、搬送された紙をブランケット胴３３に押し当てることにより、紙に前記印刷画像が転写される。すべての印刷ユニット３ａ、３ｂ、３ｃ、３ｄで印刷された紙は、排紙部４に送られる。排紙部４は、印刷部３で印刷された紙を積層状態に積み上げる。
【００２８】
印刷機制御装置１０は、印刷機１の動作を制御するとともに、本実施形態に係る印刷作業の特定方法（以下印刷作業特定方法という）を実行する。このように、印刷機制御装置１０は、本実施形態に係る印刷作業の特定装置（以下、印刷作業特定装置という）として機能する。印刷機制御装置１０は、コンピュータであり、入出力部（Ｉ／Ｏ）１１と、処理部１２と、記憶部１３とを備えて構成される。印刷機制御装置１０は、いわゆるパーソナルコンピュータを利用して構成してもよいし、ＣＰＵ（Central Processing Unit）とメモリとを組み合わせて構成してもよい。
【００２９】
処理部１２は、入出力部１１を介して印刷機１の制御対象に制御信号を送って印刷機１の動作を制御し、また、印刷機１のセンサ類から印刷機１の制御に用いる情報や印刷機１の状態に関する情報を受け取る。印刷機１の制御に用いる情報や印刷機１の状態に関する情報は、電気信号の形で印刷機制御装置１０の処理部１２へ送られる。処理部１２は、ＣＰＵで構成されており、記憶部１３上に存在するプログラム（コンピュータプログラム）と呼ぶ命令列を順に読み込み、解釈し、その結果に従ってデータを移動したり加工したりする。
【００３０】
なお、処理部１２は、専用のハードウェアによって実現されるものであってもよい。また、処理部１２の機能を実現するためのコンピュータプログラムをコンピュータが読み取り可能な記録媒体に記録し、この記録媒体に記録されたコンピュータプログラムをコンピュータシステムに読み込ませ、実行することにより本実施形態に係る印刷作業特定装置の処理手順を実行してもよい。なお、ここでいう「コンピュータシステム」とは、ＯＳや周辺機器などのハードウェアを含むものとする。
【００３１】
「コンピュータが読み取り可能な記録媒体」とは、フレキシブルディスク、光磁気ディスク、ＲＯＭ、ＣＤ−ＲＯＭなどの可搬媒体、あるいはコンピュータシステムに内蔵されるハードディスクのような記録装置のことをいう。さらに、「コンピュータが読み取り可能な記録媒体」とは、インターネットや電話回線等の通信回線を介してコンピュータプログラムを送信する場合の通信線のように、短時間の間、動的にコンピュータプログラムを保持するもの、その場合のサーバやクライアントとなるコンピュータシステム内部の揮発性メモリのように、一定時間コンピュータプログラムを保持しているものを含むものとする。また、上記コンピュータプログラムは、前述した機能の一部を実現するためのものであってよく、さらに前述した機能をコンピュータシステムにすでに記録されているコンピュータプログラムとの組み合わせで実現できるものであってもよい。
【００３２】
なお、本実施形態に係る印刷作業特定装置は、予め用意されたコンピュータプログラムをパーソナルコンピュータやワークステーションなどのコンピュータで実行することによって実現できる。このコンピュータプログラムは、インターネット等の通信回線を介して配布することができる。また、このコンピュータプログラムは、ハードディスク、フレキシブルディスク（ＦＤ）、ＣＤ−ＲＯＭ、ＭＯ、ＤＶＤ等のコンピュータで読み取り可能な記録媒体に記録され、コンピュータによって前記記録媒体から読み出されることによって実行されるようにしてもよい。
【００３３】
処理部１２は、信号取得部１２ａと、制御条件判定部１２ｂと、状態特定部１２ｃと、情報表示部１２ｄと、印刷作業候補提示部１２ｅと、所要時間演算部１２ｆと、印刷機動作制御部１２ｇとを備える。これらのうち、少なくとも信号取得部１２ａと、制御条件判定部１２ｂと、状態特定部１２ｃと、情報表示部１２ｄとによって本実施形態に係る印刷作業特定装置の機能を実現される。
【００３４】
信号取得部１２ａは、入出力部１１を介して、印刷機１の状態に関する電気信号を取得する。制御条件判定部１２ｂは、信号取得部１２ａが取得した前記電気信号に対応する印刷機１の状態が一意に決定されるか否かを判定する。状態特定部１２ｃは、信号取得部１２ａが取得した前記電気信号に対応する印刷機１の状態が一意に決定されない場合には、複数の前記電気信号の組み合わせに基づいて印刷機１の状態を確定する。また、状態特定部１２ｃは、信号取得部１２ａが取得した前記電気信号に対応する印刷機１の状態が一意に決定される場合には、その状態を印刷機１の状態として確定する。
【００３５】
情報表示部１２ｄは、印刷機１を用いた印刷作業に不明な印刷作業が存在する場合、状態特定部１２ｃによって特定された印刷機１の状態の情報とともに、不明な印刷作業の入力を促す情報を表示手段であるコントロールパネル１４のディスプレイ１４Ｄに表示させる。また、情報表示部１２ｄは、特定された印刷機１の状態に関する情報と、不明な印刷作業の入力を促す情報とを、ディスプレイ１４Ｄに対して時間の経過順に表示させる。さらに、情報表示部１２ｄは、不明な印刷作業がある場合、入力を促すメッセージをディスプレイ１４Ｄに表示させる。印刷作業候補提示部１２ｅは、不明な印刷作業が存在する場合、その候補をディスプレイ１４Ｄに表示させる。
【００３６】
所要時間演算部１２ｆは、状態特定部１２ｃが確定した印刷機１の状態が継続した時間や、印刷作業が継続した時間を演算し、印刷機１の状態と関連付けたデータの形式で記憶部１３に保存する。同じ状態が時間をおいて複数回発生した場合、所要時間演算部１２ｆは、その同じ状態の時間を積算する。印刷機動作制御部１２ｇは、印刷機１の動作を制御する他、未入力の不明な印刷作業が存在する場合、印刷機１で実行中のジョブの終了を禁止させる。
【００３７】
コントロールパネル１４には、印刷機１の動作を制御するための指令を入力する入力手段１４Ｃが設けられる。本実施形態において、コントロールパネル１４は、タッチパネル形式のディスプレイ１４Ｄを備える。したがって、本実施形態においては、入力手段１４Ｃの他にも、ディスプレイ１４Ｄを用いてコントロールパネル１４に対して入力できる。
【００３８】
記憶部１３は、ＲＡＭ（Random Access Memory）のような揮発性のメモリやＲＯＭ（Read Only Memory）のような不揮発性のメモリ、ハードディスク装置や光磁気ディスク装置、ＣＤ−ＲＯＭ等のような読み出しのみが可能な記憶媒体、あるいはこれらを組み合わせて構成される。記憶部１３には、本実施形態に係る印刷作業特定方法を実現するためのコンピュータプログラムやデータ、あるいは印刷機１の制御を実現するための制御用コンピュータプログラムや制御データが保存されている。処理部１２は、これらのコンピュータプログラムやデータを用いて、本実施形態に係る印刷作業特定方法を実現したり、印刷機１の動作を制御したりする。なお、記憶部１３は、通信回線１５に接続される他の装置（例えばデータサーバー）に設けられていてもよい（以下の例でも同様）。この場合、印刷機制御装置１０は、通信回線１５を介した通信によって記憶部１３へアクセスする。
【００３９】
入出力部１１は、通信回線１５に接続される。これによって、印刷機制御装置１０の処理部１２は、入出力部１１を介して通信回線１５に接続される。通信回線１５は、インターネットやＬＡＮ（Local Area Network）である。通信回線１５には、印刷機１の稼働状態を集計する集計装置１６や、印刷機１の生産管理等に用いられる印刷機管理装置１８が接続されている。
【００４０】
集計装置１６は、通信回線１５に接続される入出力部１７と、ＣＰＵで構成される処理部１６ｃと、ＲＯＭやＲＡＭで構成される記憶部１６ｍとで構成される。集計装置１６は、いわゆるパーソナルコンピュータを利用して構成される。処理部１６ｃは、集計部１２ｈを備える。集計部１２ｈは、通信回線１５を介して印刷機制御装置１０から取得した、印刷作業の種類（印刷機１の状態も含む）と、その印刷作業が継続した時間との関係から、印刷機１の稼働状態を集計する。印刷機管理装置１８は、集計装置１６が集計した印刷機１の稼働状態を取得し、印刷機１の生産管理等を行う。
【００４１】
図２は、本実施形態の第１変形例に係る印刷作業特定装置を含む印刷システムを示す模式図である。本変形例に係る印刷作業特定装置及びこれを備える印刷システム１００Ａは、上述した印刷作業特定装置及び印刷システム１００と同様であるが、本変形例に係る印刷作業特定装置は、通信回線１５に接続される集計装置１６Ａの処理部１６Ａｃによって実現される点が異なる。他の構成は上述した印刷作業特定装置及び印刷システム１００と同様である。
【００４２】
本変形例において、印刷機制御装置１０Ａは、入出力部１１を介して通信回線１５に接続されている。印刷機制御装置１０Ａは、ＣＰＵで構成される処理部１２Ａを備えており、これによって印刷機１の動作を制御する。記憶部１３には、本実施形態に係る印刷作業特定方法を実行するためのコンピュータプログラムは保存されておらず、処理部１２Ａは、印刷機１の動作の制御のみを実行する。本変形例に係る印刷作業特定装置は、後述するように、通信回線１５に接続される集計装置１６Ａが実行する。
【００４３】
集計装置１６Ａは、印刷機１の稼働状態を集計するとともに、本実施形態に係る印刷作業特定方法を実行する。このように、集計装置１６Ａは、本実施形態に係る印刷作業特定装置として機能する。集計装置１６Ａは、通信回線１５に接続される入出力部１７と、ＣＰＵで構成される処理部１６Ａｃと、ＲＯＭやＲＡＭで構成される記憶部１６ｍとで構成される。集計装置１６Ａは、いわゆるパーソナルコンピュータを利用して構成される。処理部１６Ａｃの機能は、上述した印刷機制御装置１０の処理部１２と同様である。また、記憶部１６ｍの機能は、上述した印刷機制御装置１０の記憶部１３の機能と同様である。
【００４４】
処理部１６Ａｃは、信号取得部１２ａと、制御条件判定部１２ｂと、状態特定部１２ｃと、情報表示部１２ｄと、印刷作業候補提示部１２ｅと、所要時間演算部１２ｆと、集計部１２ｈとを備える。これらのうち、信号取得部１２ａ及び制御条件判定部１２ｂ及び状態特定部１２ｃ及び情報表示部１２ｄ及び印刷作業候補提示部１２ｅ及び所要時間演算部１２ｆについては、上述した通りなので説明を省略する。処理部１６Ａｃは、印刷機制御装置１０Ａ及び通信回線１５を介して、印刷機１の状態に関する電気信号を取得して、本実施形態に係る印刷作業特定方法を実行する。
【００４５】
なお、所要時間演算部１２ｆは、印刷機１の稼働状態を集計する。印刷作業の種類（状態特定部１２ｃが確定した印刷機１の状態も含む）が継続した時間を演算し、印刷作業の種類と関連付けたデータの形式で記憶部１６ｍに保存する。集計部１２ｈは、記憶部１６ｍから印刷機の状態と当該状態の継続時間との関係を取得し、印刷機１の稼働状態を集計する。
【００４６】
図３は、本実施形態の第２変形例に係る印刷作業特定装置を含む印刷システムを示す模式図である。本変形例に係る印刷作業特定装置及びこれを備える印刷システム１００Ｂは、上述した印刷作業特定装置及び印刷システム１００と同様であるが、本変形例に係る印刷作業特定装置は、集計部１２ｈを含む印刷機制御装置１０Ｂで実現される点が異なる。他の構成は上述した印刷作業特定装置及び印刷システム１００と同様である。
【００４７】
印刷機制御装置１０Ｂは、図１に示す印刷機制御装置１０の処理部１２に、集計部１２ｈを設けたものである。そして、印刷機制御装置１０Ｂは、入出力部１１を介して印刷機１の状態に関する電気信号を取得して、本実施形態に係る印刷作業特定方法を実行する。そして、集計部１２ｈは、記憶部１６ｍから印刷作業の種類とその継続時間との関係を取得し、印刷機１の稼働状態を集計する。本変形例に係る印刷作業特定装置は、印刷機制御装置１０Ｂ内で印刷機１の稼働状態の集計までが可能である。
【００４８】
次に、本実施形態に係る印刷作業特定方法の手順を説明する。本実施形態に係る印刷作業特定方法は、図１に示す印刷機制御装置１０、図２に示す集計装置１６Ａ、あるいは図３に示す印刷機制御装置１０Ｂによって実現される。次においては、原則として図１に示す印刷機制御装置１０を印刷作業特定装置として用いて本実施形態に係る印刷作業特定方法を実行する例を説明するが、必要に応じて図２に示す集計装置１６Ａや図３に示す印刷機制御装置１０Ｂを印刷作業特定装置として用いる例も説明する（以下の実施形態でも同様）。
【００４９】
図４は、本実施形態に係る印刷作業特定方法の手順を示すフローチャートである。図５は、本実施形態に係る印刷作業特定装置において、一意に決定できる印刷機の状態と一意に決定できない印刷機の状態とを示す図表である。図６は、本実施形態に係る印刷作業特定装置の動作を示すタイミングチャートの一例を示す説明図である。図７は、印刷作業とその印刷作業の開始時間及び終了時間とを対応付けたテーブルの一例を示す模式図である。
【００５０】
本実施形態に係る印刷作業特定方法を実行するにあたり、ステップＳ１０１において、図１に示す印刷機制御装置１０の処理部１２が備える信号取得部１２ａは、印刷機１のセンサ類や印刷機１の制御対象に対する制御信号等から、印刷機１の状態に関する電気信号（以下印刷機状態電気信号という）を取得する。図２に示す集計装置１６Ａを印刷作業特定装置として用いる場合には、図２に示す印刷機制御装置１０Ａ及び通信回線１５を介して、処理部１６Ａｃが備える信号取得部１２ａが、印刷機状態電気信号を取得する。印刷機状態電気信号は、印刷機制御装置１０が生成する印刷機１に対する制御信号や、印刷機１のセンサ類（例えば、ドアの開閉センサや可動部の動作を制限するリミットセンサ等）が検出する信号等である。
【００５１】
ステップＳ１０２において、図１に示す印刷機制御装置１０の処理部１２が備える制御条件判定部１２ｂは、ステップＳ１０１において取得された印刷機状態電気信号に対応する印刷機１の状態が一意に決定されるか否かを判定する。一意に決定されるとは、取得された印刷機状態電気信号と、これに対応する印刷機１の状態とは一対一に対応していることをいい、印刷機状態電気信号に対応する印刷機１の状態が一意に、すなわち単一に決定されると、他の状態はすべて排除される。
【００５２】
したがって、一意に決定されないとは、取得された印刷機状態電気信号と、これに対応する印刷機１の状態とが一対一に対応していない、すなわち、取得された印刷機状態電気信号に対応する印刷機１の状態は複数存在することをいう。この場合、印刷機状態電気信号に対応する印刷機１の状態は一意に、すなわち単一に決定されないので、一つの印刷機状態電気信号に対して存在する印刷機１の状態の候補が複数存在することになる。
【００５３】
図５に示すように、例えば、印刷機１で実行される作業が正紙印刷の本刷り、版交換（半自動版交換及び全自動版交換）、洗浄（自動ブランケット洗浄、自動インキ洗浄）、万力による見当合わせである場合、印刷機状態電気信号に対応する印刷機１の状態は、これらの作業のうちいずれかに特定される。例えば、印刷機１が備える正紙カウンタの出力がＯＮである場合、印刷機１で実行される作業は正紙印刷であると一意に特定される。また、版交換中を示す信号がＯＮである場合、印刷機１で実行される作業は版交換であると一意に特定される。また、ブランケット洗浄中を示す信号がＯＮである場合、又はインキ洗浄（インキの経路の洗浄）を示す信号がＯＮである場合、印刷機１で実行される作業はブランケット洗浄、又はインキ洗浄であると一意に特定される。
【００５４】
また、図６に示すタイミングチャートでは、始業準備Ｊ、見当・色合わせ作業及び印刷Ｅ、正紙印刷Ａ及び万力による見当合わせＦが、それぞれ、印刷機１の電源ＯＮを示す印刷機状態電気信号ＥＳ＿ａのＯＮ信号、印刷中を示す印刷機状態電気信号ＥＳ＿ｅのＯＮ信号、正紙カウンタのＯＮを示す印刷機状態電気信号ＥＳ＿ｆのＯＮ信号及び万力見当合わせを示す印刷機状態電気信号ＥＳ＿ｉのＯＮ信号と一対一で対応する印刷機１の状態である。例えば、ステップＳ１０１において信号取得部１２ａが正紙カウンタのＯＮを示す印刷機状態電気信号ＥＳ＿ｆのＯＮ信号を取得した場合、制御条件判定部１２ｂは、ステップＳ１０１で印刷機状態電気信号が取得されたときにおける印刷機１の状態は、正紙印刷Ａであると特定する。また、ステップＳ１０１において信号取得部１２ａが万力見当合わせを示す印刷機状態電気信号ＥＳ＿ｉのＯＮ信号を取得した場合、制御条件判定部１２ｂは、ステップＳ１０１で印刷機状態電気信号が取得されたときにおける印刷機１の状態は、万力による見当合わせＦであると特定する。
【００５５】
ステップＳ１０２でＹｅｓと判定された場合、すなわち、制御条件判定部１２ｂが、印刷機状態電気信号に対応する印刷機１の状態は一意に決定されると判定した場合、ステップＳ１０３へ進む。すなわち、取得された印刷機状態電気信号に対応する印刷機１の状態は一種類のみであると制御条件判定部１２ｂが判定した場合、ステップＳ１０３へ進む。
【００５６】
ステップＳ１０３において、図１に示す印刷機制御装置１０の処理部１２が備える状態特定部１２ｃは、ステップＳ１０１で取得した印刷機状態電気信号に対応する印刷機１の状態を、印刷機状態電気信号を取得したときにおける印刷機１の状態（印刷機１を用いた印刷作業）であると特定する。例えば、ステップＳ１０１で取得された印刷機状態電気信号が、正紙カウンタのＯＮ信号である場合、状態特定部１２ｃは、正紙カウンタのＯＮ信号が取得されたときに印刷機１で実行された作業（印刷機１の状態であり、印刷作業）は正紙印刷であると一意に特定する。なお、特定された印刷作業は、必要に応じて印刷機制御装置１０の記憶部１３へ保存される（以下同様）。
【００５７】
次にステップＳ１０４へ進み、状態特定部１２ｃは、特定された印刷作業の開始時間及び終了時間を求める。例えば、状態特定部１２ｃは、印刷機制御装置１０のタイマーを利用して、印刷機１の状態の開始時間と終了時間とを記憶部１３に保存しておく。そして、印刷機１の状態、すなわち印刷作業が特定されたら、状態特定部１２ｃは、記憶部１３から前記開始時間と終了時間とを読み出すことにより、特定された印刷作業の開始時間及び終了時間が求められる。
【００５８】
次にステップＳ１０５へ進み、状態特定部１２ｃは、特定された印刷作業の開始時間及び終了時間を、例えば、図７に示すテーブル６２に示すように、特定された印刷作業と関連付けたデータの形式で印刷機制御装置１０の記憶部１３へ保存する。このとき、図１に示す印刷機制御装置１０の処理部１２が備える所要時間演算部１２ｆは、ステップＳ１０３で特定された印刷作業が継続した時間（所要時間）を求め、特定された印刷作業と所要時間とを関連付けた形式のデータで記憶部１３へ保存してもよい。次に、ステップＳ１０２でＮｏと判定された場合について説明する。
【００５９】
ステップＳ１０２でＮｏと判定された場合、すなわち、制御条件判定部１２ｂが、印刷機状態電気信号に対応する印刷機１の状態は一意に決定されないと判定した場合、ステップＳ１０６へ進む。すなわち、取得された印刷機状態電気信号に対応する印刷機１の状態は、複数存在すると制御条件判定部１２ｂが判定した場合、ステップＳ１０６へ進む。この時点では、状態特定部１２ｃは、印刷機１の状態を一意に決定できない。
【００６０】
ステップＳ１０６において、信号取得部１２ａは、印刷機１のセンサ類や印刷機１の制御対象に対する制御信号等から、印刷機状態電気信号を取得する。そして、状態特定部１２ｃは、ステップＳ１０１及びステップＳ１０６で取得した印刷機状態電気信号に基づいて、ステップＳ１０１で印刷機状態電気信号が取得されたときにおける印刷機１の状態を推定する。これは、例えば、次のようにして推定する。
【００６１】
まず、複数の印刷機状態電気信号の組み合わせと、この組み合わせに対応する印刷機１の状態との対応関係を予め状態推定用データマップに記述して記憶部１３へ保存しておく。そして、状態特定部１２ｃが前記状態推定用データマップを参照して、ステップＳ１０１で印刷機状態電気信号が取得されたときにおける印刷機１の状態を推定する。すなわち、状態特定部１２ｃは、前記状態推定用データマップから、ステップＳ１０１で印刷機状態電気信号が取得されたときにおける、複数の印刷機状態電気信号の組み合わせに対応する印刷機１の状態を取得し、これを推定された印刷機１の状態とする。
【００６２】
状態特定部１２ｃが前記状態を推定できる場合、状態特定部１２ｃは、状態推定可能フラグＦ＿ｇを０から１にするとともに、推定した印刷機１の状態を、記憶部１３へ一時的に保存しておく。状態特定部１２ｃが前記状態を推定できない場合、状態特定部１２ｃは、状態推定可能フラグＦ＿ｇを０にするとともに、印刷機１の状態を、「その他」とする。
【００６３】
例えば、図５の「一意に決定不可」の項目に示すように、印刷機停止を示す印刷機状態電気信号、及び版交換開始の印刷機状態電気信号がこの順序で取得された場合には、印刷機１の状態（印刷機状態）が版待ちであると推定される。同様に、印刷中を示す印刷機状態電気信号、及び印刷機停止を示す印刷機状態電気信号、及びある印刷ユニットが安全モードを示す印刷機状態電気信号、及び版ブランケットカバー開を示す印刷機状態電気信号、及び寸胴・逆寸を示す印刷機状態電気信号、及び版ブランケットカバー閉を示す印刷機状態電気信号、及び運転モードへの復帰を示す印刷機状態電気信号がこの順序で取得された場合には、印刷機１の状態は版手入れ（ゴミ取り）であると推定される。図５に示す手動圧胴洗浄、休憩、湿しメンテナンス、ブランケット洗浄装置メンテナンス、給油についても同様である。
【００６４】
図６に示すタイミングチャートでは、ステップＳ１０１において信号取得部１２ａがジョブ中を示す印刷機状態電気信号ＥＳ＿ｂのＯＮ信号を取得した場合、印刷機１の状態は一意に決定できない。したがって、この場合には、状態特定部１２ｃは、印刷機１の状態として、その他Ｍを記憶部１３に保存する。そして、ステップＳ１０６で信号取得部１２ａが、版交換を示す印刷機状態電気信号ＥＳ＿ｃのＯＮ信号を取得した場合、状態特定部１２ｃは、ステップＳ１０１で印刷機状態電気信号が取得されたときにおける印刷機１の状態は、版待ちＧであると推定する（図６の（Ａ））。
【００６５】
また、ステップＳ１０１において信号取得部１２ａが印刷の終了を示す印刷機状態電気信号ＥＳ＿ｅのＯＦＦ信号を取得した場合、印刷機１の状態は一意に決定できない。この場合には、状態特定部１２ｃは、印刷機１の状態として、その他Ｍを記憶部１３に保存する。そして、ステップＳ１０６で信号取得部１２ａが、印刷中を示す印刷機状態電気信号ＥＳ＿ｅのＯＮ信号を取得した場合、状態特定部１２ｃは、ステップＳ１０１で印刷機状態電気信号が取得されたときにおける印刷機１の状態は、見当・色合わせ作業Ｅであると推定する（図６の（Ｂ））。
【００６６】
次に、ステップＳ１０７において、制御条件判定部１２ｂは、取得した複数の印刷機状態電気信号の組み合わせから、ステップＳ１０１で印刷機状態電気信号が取得されたときにおける印刷機１の状態が推定できるか否かを判定する。例えば、制御条件判定部１２ｂは、上述した状態推定可能フラグＦ＿ｇが１であった場合に、ステップＳ１０１で印刷機状態電気信号が取得されたときにおける印刷機１の状態を推定できると判定し、状態推定可能フラグＦ＿ｇが０である場合には、印刷機１の状態は推定できないと判定する。
【００６７】
ステップＳ１０７においてＹｅｓと判定された場合、すなわち、制御条件判定部１２ｂが、取得された複数の印刷機状態電気信号の組み合わせから、ステップＳ１０１で印刷機状態電気信号が取得されたときにおける印刷機１の状態が推定できると判定した場合、ステップＳ１０８へ進む。
【００６８】
ステップＳ１０８において、状態特定部１２ｃは、ステップＳ１０６で推定した印刷機１の状態を、ステップＳ１０１で印刷機状態電気信号が取得されたときにおける印刷機１の状態（印刷作業）に特定する。ステップＳ１０６で推定された印刷機１の状態は、ステップＳ１０１で印刷機状態電気信号が取得されたときにおける印刷機１の状態として確実なものであるので、作業者の入力がない場合には、ステップＳ１０６で推定された印刷機１の状態を、ステップＳ１０１で印刷機状態電気信号が取得されたときにおける印刷機１の状態とするのが妥当だからである。
【００６９】
ステップＳ１０８で印刷機１の状態が特定されたら、上述したステップＳ１０４及びステップＳ１０５が実行され、ステップＳ１０８で特定された印刷作業と、当該印刷作業の開始時間及び終了時間とが関連付けられた形式のデータが、印刷機制御装置１０の記憶部１３へ保存される。次に、ステップＳ１０７でＮｏと判定された場合を説明する。ステップＳ１０７においてＮｏと判定された場合、すなわち、制御条件判定部１２ｂが、取得された複数の印刷機状態電気信号の組み合わせから、ステップＳ１０１で印刷機状態電気信号が取得されたときにおける印刷機１の状態が推定できないと判定した場合、ステップＳ１０９へ進む。
【００７０】
ステップＳ１０９において、状態特定部１２ｃは、印刷機１の状態（印刷作業）を、「その他」に分類し、この情報を、その印刷作業の開始時間と終了時間とともに記憶部１３へ格納してからステップＳ１１０へ進む。ステップＳ１１０において、制御条件判定部１２ｂは、印刷機１によるジョブが終了したか否かを判定する。ステップＳ１１０でＮｏと判定された場合、すなわち、制御条件判定部１２ｂが印刷機１の現在のジョブは終了していないと判定した場合、現在のジョブが終了するまでステップＳ１０１以降の手順を繰り返す。
【００７１】
ステップＳ１１０でＹｅｓと判定された場合、すなわち制御条件判定部１２ｂが印刷機１の現在のジョブが終了したと判定した場合、ステップＳ１１１へ進む。例えば、上記ステップＳ１０７で信号取得部１２ａがジョブの終了を示す印刷機状態電気信号ＥＳ＿ｂのＯＦＦ信号を取得した場合、制御条件判定部１２ｂは、印刷機１の現在のジョブが終了したと判定する。この場合、ステップＳ１０１で印刷機状態電気信号を取得したときにおける印刷機１の状態（印刷作業）は一意に決定できない。すなわち、現在のジョブに不明な印刷作業が存在することになる。
【００７２】
図８は、本実施形態において、不明な状態を示す画面の一例を示す模式図である。図９は、不明な印刷作業を印刷機制御装置へ入力する際に表示される画面の一例を示す模式図である。現在のジョブに不明な印刷作業が存在する場合、ステップＳ１１１において、図１に示す印刷機制御装置１０の処理部１２が備える情報表示部１２ｄは、現在のジョブにおいて、不明な状態の有無をディスプレイ１４Ｄに表示する。例えば、図８に示す例では、Ａ１、Ａ２、Ａ３で示す部分が不明な印刷作業に相当し、これらはジョブにおける時間経過順に並んでいる。この部分の長さＬが、不明な印刷作業の継続した時間に相当する。本実施形態では、不明な印刷作業を示す部分を点滅させたり、他の部分よりも明るく表示させたりすることにより、作業者の注意を喚起できるようになっている。作業者は、選択キー画像Ｋ１、Ｋ２を用いて、入力する不明な印刷作業に相当する部分を選択し、候補キー画像Ｂでその部分を選択する。本実施形態において、ディスプレイ１４Ｄは、タッチパネル形式なので、作業者は、選択キー画像Ｋ１、Ｋ２や候補キー画像Ｂに触れることにより、選択が可能である。
【００７３】
候補キー画像Ｂにより、作業者が入力しようとする不明な印刷作業が選択されると、ステップＳ１１２に進み、情報表示部１２ｄは、ディスプレイ１４Ｄの画面を、図９に示す不明な印刷作業を入力する画像に切り替えて、不明な印刷作業の情報を、上述した手順で特定された印刷機１の状態（印刷作業）の情報とともに表示する。不明な印刷作業の情報は、不明な印刷作業を特定し、作業者に不明な印刷作業が何であるかを入力させるための情報であり、本実施形態では、不明な印刷作業の開始時間及び終了時間や、そのときの印刷機１の状態等である。図９に示す例では、４番のＭ／Ｃ停止及び６番の緩動（印刷機１の緩動）の項目が現在のジョブにおいて不明な印刷作業であり、内容の項目に作業者が不明な作業の内容を入力する。本実施形態では、不明な印刷作業（４番及び６番の項目）については、印刷機１の状態、開始時間及び終了時間が表示され、また、作業者が入力すべき部分を他の部分とは異なる態様（例えば、入力する部分を点滅させたり、他の部分よりも明るく表示させたりする）で表示することにより、作業者の入力を促すようになっている。
【００７４】
また、本実施形態では、不明な印刷作業は、印刷機１の状態（印刷作業）の情報とともに表示するとともに、時間の経過順にディスプレイ１４Ｄへ表示される。これによって、作業者は、不明な印刷作業の前後における印刷機１の状態や印刷作業から不明な印刷作業がどのような作業であったかを特定することが容易になる。その結果、不明な印刷作業は、より確実に、かつ正しい内容で入力されるとともに、作業者の負担もより低減される。さらに、本実施形態では、不明な印刷作業の開始時間及び終了時間も表示されるので、作業者は、さらに不明な作業の特定が容易になるとともに、入力の負担が低減される。
【００７５】
次に、ステップＳ１１３に進み、図１に示す印刷機制御装置１０の処理部１２が備える印刷作業候補提示部１２ｅは、ディスプレイ１４Ｄに、不明な印刷作業の候補を表示させる。例えば、図９に示すように、印刷作業候補提示部１２ｅは、複数の候補を表した候補キー画像Ｃをディスプレイ１４Ｄに表示する。このように、複数の候補を作業者に提示することにより、作業者は複数の候補から不明な印刷作業を選択するだけでよいので、作業者の入力の負担が軽減される。このように、不明な印刷作業を入力する際の負担が軽減されるので、作業者の入力の促進を図ることができる。なお、ステップＳ１１２とステップＳ１１３とは同時に実行されてもよい。
【００７６】
次に、ステップＳ１１４で、制御条件判定部１２ｂは、作業者が不明な印刷作業を入力したか否かを判定する。ステップＳ１１４でＹｅｓと判定された場合、すなわち、制御条件判定部１２ｂが作業者の入力があったと判定した場合、ステップＳ１１５へ進む。ステップＳ１１５において、状態特定部１２ｃは、入力された候補が、不明な印刷作業（ステップＳ１０１で印刷機状態電気信号が取得されたときにおける印刷機１の状態も含む）であると特定する。
【００７７】
図５に示すタイミングチャートでは、信号取得部１２ａがジョブの終了を示す印刷機状態電気信号ＥＳ＿ｂのＯＦＦ信号を取得した場合、状態特定部１２ｃは、印刷機１の状態として、その他Ｍを記憶部１３に保存する。ステップＳ１０６で、信号取得部１２ａが作業者の入力Ｌを取得した場合、状態特定部１２ｃは、作業者によってディスプレイ１４Ｄに表示された状態候補から選択され、かつ入力された状態候補を、ステップＳ１０１で印刷機状態電気信号が取得されたときにおける印刷機１の状態（印刷作業）として特定する（図５の（Ｃ））。その後、上述したステップＳ１０４及びステップＳ１０５が実行され、ステップＳ１１５で特定された印刷作業とステップＳ１０４で求めた当該印刷作業の開始時間及び終了時間とを関連付けた形式のデータが、印刷機制御装置１０の記憶部１３へ保存される。
【００７８】
ステップＳ１１４でＮｏと判定された場合、すなわち、制御条件判定部１２ｂが作業者の入力はないと判定した場合、ステップＳ１１６へ進む。この場合、候補が未入力の不明な印刷作業、すなわち特定されていない印刷作業が存在する。ステップＳ１１６において、情報表示部１２ｄは、入力を促すメッセージをディスプレイ１４Ｄに表示させる。これによって、作業者の入力を促進して、入力漏れを低減する。メッセージとしては、ディスプレイ１４Ｄに文字を表示させたり、音声によって報知したりするものがある。
【００７９】
また、情報表示部１２ｄが入力を促すメッセージをディスプレイ１４Ｄに表示させる代わりに、図１に示す印刷機制御装置１０の処理部１２が備える印刷機動作制御部１２ｇは、次のジョブの実行を禁止させてもよい。これによって、作業者の入力を促進して、入力漏れを低減する。なお、次のジョブの禁止は、入力を促すメッセージと同時に実行してもよい。これによって、作業者の入力をより促進できる。なお、本実施形態では、作業者が、入力を促すメッセージを報知しない設定や次のジョブの禁止を実行しない設定にすることもできる。
【００８０】
また、制御条件判定部１２ｂが作業者の入力はないと判定した場合、状態特定部１２ｃは、ステップＳ１０１で印刷機状態電気信号が取得されたときにおける印刷機１の状態を含む不明な印刷作業をその他に特定し、記憶部１３へ保存してもよい。取得された複数の印刷機状態電気信号の組み合わせからは、ステップＳ１０１で印刷機状態電気信号が取得されたときにおける印刷機１の状態が推定できず（ステップＳ１０７：Ｎｏ）、かつ作業者が複数の状態候補の中から印刷機１の状態を選択せず（ステップＳ１１４：Ｎｏ）、かつジョブが終了した場合、このジョブ中においては印刷機１の状態を特定できないからである。
【００８１】
ステップＳ１１６で印刷機１の状態がその他に特定されたら、上述したステップＳ１０４及びステップＳ１０５が実行され、ステップＳ１１６で特定された印刷作業と、ステップＳ１０４で求めた特定された印刷作業の開始時間及び終了時間とを関連付けた形式のデータが、印刷機制御装置１０の記憶部１３へ保存される。
【００８２】
図１０は、印刷機の状態と当該状態が継続した時間と関連付けて記述したデータマップを示す概念図である。図１１は、印刷機の作業分類と当該作業分類が継続した時間とを集計し、両者を関連付けて記述したデータマップを示す概念図である。本実施形態では、上述した手順により、印刷機１を用いた印刷作業（印刷機１の状態を含む）が特定される。特定された印刷作業は、その印刷作業が継続した時間（所要時間）と関連付けられて、図１０に示す印刷作業テーブル６０に記述され、印刷機制御装置１０の記憶部１３へ保存される。印刷作業テーブル６０の所要時間は、例えば、一つのジョブにおけるそれぞれの印刷機状態を累計した値である。
【００８３】
なお、記憶部１３に保存される印刷機１の状態のうち、その他に分類されたものには、それぞれに他との識別ができるＩＤを付してもよい。そして、例えば、一日の作業が終了した後に、記憶部１３からその他に分類されたものを読み出し、作業者のマニュアル入力によってその他に分類された印刷機１の状態を特定してもよい。これによって、不明な印刷作業をさらに低減できる。なお、この場合、上述したステップＳ１１１〜ステップＳ１１３に示すように、不明な印刷作業を、印刷機１の状態の情報とともに時間の経過順にディスプレイ１４Ｄへ表示させ、また、不明な印刷作業の候補をディスプレイ１４Ｄに表示させることが好ましい。これによって、作業者の入力を促進でき、また、作業者の入力の負荷を軽減できる。
【００８４】
図１に示す通信回線１５に接続されている集計装置１６の集計部１２ｈは、通信回線１５を介して印刷機制御装置１０の記憶部１３から、印刷作業テーブル６０を取得する。そして、集計部１２ｈは、例えば、図１１に示す印刷作業分類テーブル６１に示すように、印刷作業テーブル６０に記述された印刷機状態を集計して、印刷機１の作業毎に分類する。例えば、印刷作業テーブル６０に記述される印刷機状態のうち、例えば、手動ブランケット洗浄、手動インキ洗浄等は印刷作業のうち洗浄に分類されるので、印刷作業分類テーブル６１の印刷作業分類の洗浄には、手動ブランケット洗浄、手動インキ洗浄等の累計時間が記述される。同様に、手動版交換、版胴定位置版交換等は印刷作業のうち版交換に分類されるので、印刷作業分類テーブル６１の印刷作業分類の版交換には、手動版交換、版胴定位置版交換等の累計時間が記述される。
【００８５】
また、印刷作業分類テーブル６１には、印刷作業の合計時間、電源ＯＮ時間及び非印刷時間が記述される。非印刷時間は、印刷機１の電源ＯＮ時間から印刷機１の作業の合計時間を減算して求められる。このようにして作成された、それぞれの作業日に対する印刷作業分類テーブル６１を用いて、印刷作業のレポートが作成される。なお、印刷作業の集計は、上記例に限定されるものではなく、印刷作業のうち、注目したい項目に関して集計する。なお、図２に示す集計装置１６Ａを用いる場合、集計装置１６Ａは、印刷機制御装置１０Ａ及び通信回線１５を介して印刷機状態電気信号を取得して印刷作業（印刷機１の状態を含む）を特定して、集計装置１６Ａの記憶部１６ｍへ保存する。そして、特定された印刷作業を集計して、例えば、印刷作業分類テーブル６１を作成する。
【００８６】
以上、本実施形態は、印刷機状態電気信号や作業者によっては、印刷機の状態が一意に決定されない場合には、複数の印刷機状態電気信号の組み合わせに基づいて、印刷機の状態を推定する。これによって、不明な印刷機の状態を低減できるので、印刷機の状態を集計した情報は、より細かい部分まで正確になる。その結果、印刷機の稼働状態等をより正確に把握できる。また、印刷機の状態は、コンピュータによって自動的に推定されるので、作業者の負担を低減できる。さらに、推定に要する手間を低減できる。さらに、作業者の操作によって不明な印刷作業の内容を入力させる場合には、特定された印刷機の状態の情報とともに、不明な印刷作業の情報が表示手段に表示される。これによって、作業者は、明らかになっている印刷作業や印刷機の状態との関係から、不明な印刷作業を特定することが容易になるので、不明な印刷作業は、より確実に、かつ正しい内容で入力される。そして、印刷作業を収集するにあたって作業者の負担が低減される。特に、印刷機が停止している状態における印刷作業は、印刷機から得られる電気信号を用いて推定できないが、本実施形態によれば、作業者が入力しやすい環境を形成できるので、印刷機が停止しているときにおける印刷作業を特定しやすくなる。
【産業上の利用可能性】
【００８７】
以上のように、本発明に係る印刷機の印刷作業特定装置及び印刷機の印刷作業特定方法、並びに印刷作業の特定用コンピュータプログラムは、印刷機の状態を収集することに有用であり、特に、不明な状態を低減することに適している。
【符号の説明】
【００８８】
１  印刷機
２  給紙部
３  印刷部
４  排紙部
１０、１０Ａ、１０Ｂ  印刷機制御装置
１１  入出力部
１２、１２Ａ  処理部
１２ａ  信号取得部
１２ｂ  制御条件判定部
１２ｃ  状態特定部
１２ｄ  情報表示部
１２ｅ  印刷作業候補提示部
１２ｆ  所要時間演算部
１２ｇ  印刷機動作制御部
１２ｈ  集計部
１３  記憶部
１４  コントロールパネル
１４Ｄ  ディスプレイ
１５  通信回線
１６、１６Ａ  集計装置
１７  入出力部
１８  印刷機管理装置
６０  印刷作業テーブル
６１  印刷作業分類テーブル
６２  テーブル
１００、１００Ａ、１００Ｂ  印刷システム
【図１】
2010173249.tif 000003
【図２】
2010173249.tif 000004
【図３】
2010173249.tif 000005
【図４】
2010173249.tif 000006
【図５】
2010173249.tif 000007
【図６】
2010173249.tif 000008
【図７】
2010173249.tif 000009
【図８】
2010173249.tif 000010
【図９】
2010173249.tif 000011
【図１０】
2010173249.tif 000012
【図１１】
2010173249.tif 000013